(57)【要約】【課題】生産効率の向上と設備コストの低減を図ることのできる、塗工膜の剥離装置及びその塗工装置を用いる二次電池用セパレータの製造装置と、塗工膜の剥離方法及びその方法を用いる二次電池用セパレータの製造方法を提供する。【解決手段】塗工シート２０を第１，第２，第３送りローラ４６，４７，４８によって連続的に搬送する。接触ベルト４９を塗工シート２０の表面の幅方向の一部に接触させる。接触ベルト４９の表面に溶解液供給装置５０によって溶解液５８を付着させ、接触ベルト４９上の塗工シート２０との接触部を、塗工シート２０に対して相対移動させることにより、塗工シート２０から塗工膜を帯状に剥離する。【選択図】図７
2013257987.tif 000002
【特許請求の範囲】
【請求項１】
シート部材の表面に塗工膜が形成された塗工シートから塗工膜の一部を長手方向に沿って帯状に剥離する塗工膜の剥離装置であって、
前記塗工シートを長手方向に沿って連続的に搬送するシート搬送装置と、
前記シート搬送装置によって送られてくる前記塗工シートの表面の幅方向の一部に接触する接触ベルトと、
前記接触ベルトの表面に、前記塗工膜の溶解液を付着させる溶解液供給装置と、を備え、
前記接触ベルト上の前記塗工シートとの接触部は、前記シート搬送装置によって送られてくる前記塗工シートに対して相対移動することを特徴とする塗工膜の剥離装置。
【請求項２】
前記接触ベルトに付着している余剰の溶解液を、前記接触ベルトが前記塗工シートと接触する前に吸引除去する第１の吸引装置を備えていることを特徴とする請求項１に記載の塗工膜の剥離装置。
【請求項３】
前記接触部による塗工膜の剥離後に前記塗工シートに付着している余剰の溶解液を吸引除去する第２の吸引装置を備えていることを特徴とする請求項１または２に記載の塗工膜の剥離装置。
【請求項４】
前記接触ベルトは、環状の係合溝を有するプーリに掛け渡され、
前記接触ベルトの幅は、前記係合溝と同幅に形成され、
前記接触ベルトの外面には、前記塗工シートの表面に接触する突条が形成されていることを特徴とする請求項１〜３のいずれか１項に記載の塗工膜の剥離装置。
【請求項５】
シート部材であるセパレータ基材の表面に、耐熱性の塗工膜を長手方向に沿ってストライプ状に形成する二次電池用セパレータの製造装置であって、
前記セパレータ基材の少なくとも一方の面に耐熱材料を塗工して塗工シートを形成する塗工装置と、
前記請求項１〜４のいずれか１項に記載された塗工膜の剥離装置と、
を備えていることを特徴とする二次電池用セパレータの製造装置。
【請求項６】
シート部材の表面に塗工膜が形成された塗工シートから塗工膜の一部を長手方向に沿って帯状に剥離する塗工膜の剥離方法であって、
前記塗工シートを長手方向に沿って連続的に搬送し、
搬送されてくる前記塗工シートの表面の幅方向の一部に接触ベルトを接触させ、
前記接触ベルトの表面に前記塗工膜の溶解液を付着させ、
前記接触ベルト上の前記塗工シートとの接触部を、前記塗工シートに対して相対移動させることを特徴とする塗工膜の剥離方法。
【請求項７】
シート部材であるセパレータ基材の表面に、耐熱性の塗工膜を長手方向に沿ってストライプ状に形成する二次電池用セパレータの製造方法であって、
前記セパレータ基材の少なくとも一方の面に耐熱材料を塗工して塗工シートを形成し、
前記塗工シートを長手方向に沿って連続的に搬送し、
搬送されてくる前記塗工シートの表面の幅方向の一部に接触ベルトを接触させ、
前記接触ベルトの表面に前記塗工膜の溶解液を付着させ、
前記接触ベルト上の前記塗工シートとの接触部を、前記塗工シートに対して相対移動させることを特徴とする二次電池用セパレータの製造方法。
【発明の詳細な説明】
【技術分野】
【０００１】
本発明は、シート部材の表面に塗工膜が形成された塗工シートから塗工膜の一部を剥離する塗工膜の剥離装置と、その塗工装置を用いる二次電池用セパレータの製造装置と、前記塗工シートから塗工膜の一部を剥離する塗工膜の剥離方法と、その塗工方法を用いる二次電池用セパレータの製造方法に関するものである。
【背景技術】
【０００２】
現在、二次電池は電気自動車や発電装置等の各種分野において広く普及している。二次電池は、正極板と負極板がセパレータを介して積層されて成る積層体が、電解液とともに容器内に収容された構造とされている。二次電池の構造としては、正極板と負極板とがセパレータを介して交互に複数積層された積層タイプや、長尺の積層体がロール状に巻かれた巻回タイプ等が知られている。
【０００３】
二次電池においては、正極板と負極板をセパレータを介して相互に固定するために、二次電池に含まれる複数のセパレータを熱溶着することが行われる。例えば、正極板や負極板よりも幅の広いセパレータを用い、正極板や負極板を間に挟む２枚のセパレータの幅方向の端縁同士を熱溶着する。これにより、セパレータ同士が袋状に接合され、そのセパレータの袋状部分の内側に正極板や負極板が固定される。
【０００４】
セパレータは、ポリエチレン等の多孔質のシート部材の表面にセラミックスやアラミド樹脂等から成る耐熱性の塗工膜が付設されている。耐熱性の塗工膜は、電池の発熱によりセパレータが損傷するのを抑制するためのものである。
【０００５】
ところで、上述のように２枚のセパレータの幅方向の端縁同士を熱溶着によって固定する場合、セパレータ上の熱溶着部に耐熱性の塗工膜が存在すると、塗工膜によって熱伝導が阻害され、円滑な熱溶着ができなくなる。
このため、セパレータの幅方向の中央領域にのみに耐熱性の塗工膜を設け、溶着の行われるセパレータの幅方向の端縁には塗工膜が付設されないようにしている。
【０００６】
この種のセパレータの製造に際しては、長尺で幅の広い連続したシート部材の表面に塗工膜を形成して塗工シートを形成しておき、その連続した塗工シートから個々のセパレータを切り出す。このため、上記のようにセパレータの幅方向の端縁に非塗工部を設ける場合には、塗工シートの表面に長手方向に沿う非塗工部の帯を複数列ストライプ状に設け、その塗工シートを非塗工部の帯部分で切断する。
【０００７】
塗工シートの表面に非塗工部をストライプ状に設ける（塗工部をストライプ状に設ける）ための手法としては、シート部材の表面に塗工液を塗布するとき（塗工膜を形成するとき）にマスキングテープを用いるもの（例えば、特許文献１，２参照）や、塗工液の塗布時に、帯状の非転写領域を有するグラビアロールを用いるもの（例えば、特許文献３参照）が実用化されている。
【先行技術文献】
【特許文献】
【０００８】
【特許文献１】特開２００７−２６７３０号公報
【特許文献２】特開２００５−１８３１８１号公報
【特許文献３】特開２００７−９５５９０号公報
【発明の概要】
【発明が解決しようとする課題】
【０００９】
しかし、マスキングテープを用いる前者の手法においては、塗工シートの塗工膜が固化した後にマスキングテープを除去する作業を行わなければならず、生産効率が悪いことが問題となる。
【００１０】
また、グラビアロールを用いる後者の手法においては、非塗工部（塗工部）の幅等を変更する場合に、高価なグラビアロールを複数用意しなければならず、設備コストが嵩むことが問題となる。
【００１１】
そこで本発明は、生産効率の向上と設備コストの低減を図ることのできる、塗工膜の剥離装置及びその塗工装置を用いる二次電池用セパレータの製造装置と、塗工膜の剥離方法及びその方法を用いる二次電池用セパレータの製造方法を提供することを目的とする。
【課題を解決するための手段】
【００１２】
上記課題の解決手段として、請求項１に係る塗工膜の剥離装置の発明は、シート部材の表面に塗工膜が形成された塗工シートから塗工膜の一部を長手方向に沿って帯状に剥離する塗工膜の剥離装置であって、前記塗工シートを長手方向に沿って連続的に搬送するシート搬送装置と、前記シート搬送装置によって送られてくる前記塗工シートの表面の幅方向の一部に接触する接触ベルトと、前記接触ベルトの表面に、前記塗工膜の溶解液を付着させる溶解液供給装置と、を備え、前記接触ベルト上の前記塗工シートとの接触部は、前記シート搬送装置によって送られてくる前記塗工シートに対して相対移動することを特徴とするものである。
この発明の場合、表面に溶解液が付着した接触ベルトが塗工シートの表面の幅方向の一部に接触し、その状態で接触ベルト上の接触部が塗工シートに対して相対移動すると、塗工シート上の接触ベルトとの接触部分の塗工膜が溶解液によって溶解されつつ接触ベルトによって擦り落とされることになる。
【００１３】
請求項２に係る塗工膜の剥離装置の発明は、請求項１に係る発明において、前記接触ベルトに付着している余剰の溶解液を、前記接触ベルトが前記塗工シートと接触する前に吸引除去する第１の吸引装置を備えていることを特徴とするものである。
【００１４】
請求項３に係る塗工膜の剥離装置の発明は、請求項１または２に係る発明において、前記接触部による塗工膜の剥離後に前記塗工シートに付着している余剰の溶解液を吸引除去する第２の吸引装置を備えていることを特徴とするものである。
【００１５】
請求項４に係る塗工膜の剥離装置の発明は、請求項１〜３のいずれか１項に係る発明において、前記接触ベルトは、環状の係合溝を有するプーリに掛け渡され、前記接触ベルトの幅は、前記係合溝と同幅に形成され、前記接触ベルトの外面には、前記塗工シートの表面に接触する突条が形成されていることを特徴とするものである。
この発明の場合、接触ベルトの幅がプーリの係合溝と同幅に形成されているため、プーリの係合溝の底部側への溶解液の浸入が抑制されることになる。また、外面に溶解液が付着した接触ベルトは、突条部分のみで塗工シートの表面に接触することになる。
【００１６】
請求項５に係る二次電池用セパレータの製造装置の発明は、シート部材であるセパレータ基材の表面に、耐熱性の塗工膜を長手方向に沿ってストライプ状に形成する二次電池用セパレータの製造装置であって、前記セパレータ基材の少なくとも一方の面に耐熱材料を塗工して塗工シートを形成する塗工装置と、請求項１〜４のいずれか１項に係る塗工膜の剥離装置と、を備えていることを特徴とするものである。
この発明の場合、二次電池用セパレータの製造に際しては、最初に、塗工装置によってセパレータ基材の少なくとも一方の面に耐熱材料を塗工して塗工シートを形成する。次に、この塗工シートに対して剥離装置によって塗工膜の一部を長手方向に沿ってストライプ状に剥離する。こうして形成された塗工シート上の非塗工部（剥離部）は、セパレータ同士を熱溶着する際の熱溶着部として用いられる。この発明の場合、セパレータ上の塗工部や非塗工部の幅や位置を変更する場合には、剥離装置の接触ベルトの幅や位置を変更することによって対応することができる。
【００１７】
請求項６に係る塗工膜の剥離方法の発明は、シート部材の表面に塗工膜が形成された塗工シートから塗工膜の一部を長手方向に沿って帯状に剥離する塗工膜の剥離方法であって、前記塗工シートを長手方向に沿って連続的に搬送し、搬送されてくる前記塗工シートの表面の幅方向の一部に接触ベルトを接触させ、前記接触ベルトの表面に前記塗工膜の溶解液を付着させ、前記接触ベルト上の前記塗工シートとの接触部を、前記塗工シートに対して相対移動させることを特徴とするものである。
【００１８】
請求項７に係る二次電池用セパレータの製造方法の発明は、シート部材であるセパレータ基材の表面に、耐熱性の塗工膜を長手方向に沿ってストライプ状に形成する二次電池用セパレータの製造方法であって、前記セパレータ基材の少なくとも一方の面に耐熱材料を塗工して塗工シートを形成し、前記塗工シートを長手方向に沿って連続的に搬送し、搬送されてくる前記塗工シートの表面の幅方向の一部に接触ベルトを接触させ、前記接触ベルトの表面に前記塗工膜の溶解液を付着させ、前記接触ベルト上の前記塗工シートとの接触部を、前記塗工シートに対して相対移動させることを特徴とするものである。
【発明の効果】
【００１９】
本発明によれば、連続的に搬送されてくる塗工シートの表面の幅方向の一部に接触ベルトを接触させ、接触ベルトの表面に塗工膜の溶解液を付着させ、接触ベルト上の塗工シートとの接触部を塗工シートに対して相対移動させるため、塗工シート上の塗工膜の一部を連続的に確実に剥離することができる。したがって、本発明によれば、塗工膜を効率良く剥離することができる。
また、本発明によれば、塗工シート上の塗工膜の剥離幅や剥離位置を変更する場合には、接触ベルトの塗工シートに対する接触部の幅や位置を変更するだけで容易に対応することができる。したがって、本発明によれば、設備コストの高騰を抑制することができる。
【図面の簡単な説明】
【００２０】
【図１】本発明の一実施形態の二次電池用セパレータの製造装置を示す概略構成図である。
【図２】本発明の一実施形態の二次電池用セパレータの製造装置を示す概略構成図である。
【図３】電池セルの構成部材の一部を示す分解斜視図である。
【図４】電池セルの構成部材の一部を示す平面図である。
【図５】本発明の一実施形態のコーティングロールを示す斜視図である。
【図６】本発明の一実施形態の塗工膜の一部を剥離した塗工シート（剥離済み塗工シート）を示す斜視図である。
【図７】本発明の一実施形態の塗工膜の剥離装置を示す概略構成図である。
【図８】本発明の一実施形態の駆動プーリと接触ベルトを示す斜視図である。
【図９】本発明の一実施形態の駆動プーリを示す斜視図である。
【発明を実施するための形態】
【００２１】
以下、本発明の一実施形態を図面に基づいて説明する。
図１，図２は、この実施形態の二次電池用セパレータの製造装置１の概略構成図である。図１は、製造装置１の前段側で用いられる塗工ラインブロック１Ａ（塗工装置）の概略構成を示し、図２は、製造装置１の後段側で用いられる剥離ラインブロック１Ｂの概略構成を示している。
この実施形態の製造装置１は、リチウムイオン二次電池等の二次電池で用いられるセパレータを製造する装置である。
【００２２】
図１に示す塗工ラインブロック１Ａは、ポリエチレンやポリプロピレン等の多孔質の連続したシート部材２１（セパレータ基材）の一面にアルミナ等のセラミックスやアラミド樹脂等からなる耐熱性の塗工膜２２（図５参照）を連続的に形成するブロックである。以下においては、シート部材２１の一面にアルミナによる塗工膜２２を形成する例について説明する。
図２に示す剥離ラインブロック１Ｂは、塗工ラインブロック１Ａで一面に塗工膜２２を形成したシート部材（以下、「塗工シート２０」と呼ぶ。）から塗工膜２２の一部を長手方向に沿って帯状に剥離するラインブロックである。
なお、塗工ラインブロック１Ａで扱うシート部材２１と、剥離ラインブロック１Ｂで扱う塗工シート２０は、多数個のセパレータの切り出しが可能な幅と長さに設定されている。ここでは詳細な説明は省略すが、剥離ラインブロック１Ｂによって塗工膜２２の剥離処理を終えた塗工シート２０は、図示しない切断ラインブロックによって所定の幅と長さに切断される。
【００２３】
図３，図４は、二次電池の電池セルの一部を示す分解斜視図と平面図である。
これらの図に示すように、二次電池の電池セルは、正極または負極の電極板２４が長方形状の一対のセパレータ２５，２５の間に挟み込まれ、その一対のセパレータ２５，２５の幅方向の両側の端縁同士が熱溶着によって相互に固定される。なお、図４中符号２６は、一対のセパレータ２５，２５の熱溶着部である。
長方形状の各セパレータ２５は、表裏の一方側の面の幅方向の両端縁を除く領域に上記の耐熱性の塗工膜２２が形成されている。セパレータ２５の幅方向の中央領域の塗工部２５ａは、電池使用時における耐熱性を高めるための部分であり、幅方向の両端縁の非塗工部２５ｂは、セパレータ２５，２５同士の熱溶着を良好にするための部分である。このセパレータ２５は、剥離ラインブロック１Ｂで製造された連続した塗工シート２０から切り出される。
【００２４】
図１に示す塗工ラインブロック１Ａは、長尺なシート部材２１が連続的に巻回された繰り出しロール２と、繰り出しロール２から引き出されたシート部材２１に塗工を施して塗工シート２０とした後に、その塗工シート２０をロール状に連続的に巻き取る巻取りロール６と、を備えている。また、繰り出しロール２から繰り出されたシート部材２１は、複数の駆動ロール７によって巻き取りロール６方向に連続的に送られるとともに、複数のテンションロール８によって所定の張力が常時付与されるようになっている。
【００２５】
また、塗工ラインブロック１Ａは、繰り出しロール２から巻取りロール６にシート部材２１を連続的に搬送するシート搬送ラインＬ１の上流側において、シート部材２１の表裏の片側の面の全域に耐熱性の塗工液１２ａを塗布する塗布装置３と、シート搬送ラインＬ１の下流側において、塗布装置３でシート部材２１上に塗布された塗工液１２ａを乾燥させて定着させる乾燥装置４と、を備えている。なお、図１中の符号５は、シート搬送ラインＬ１の乾燥装置４の下流側に配置されて塗工面の状態を検査する検査装置である。
なお、この実施形態においては、塗布装置３と乾燥装置４が塗工装置を構成している。
【００２６】
塗布装置３は、図１に示すように、繰り出しロール２から連続して搬送されてくるシート部材２１の片面全域に対して塗工液１２ａを塗布する装置である。この例の場合、塗工液１２ａは、水系溶媒にアルミナを溶解させたものが用いられる。塗工液１２ａは、シート部材２１の面上に塗布された後に、水系溶媒が揮発することによってシート部材２１の面上に塗工膜２２となって固定される。
【００２７】
この実施形態の塗布装置３は、コーティングロール３０に付着させた塗工液１２ａを、コーティングロール３０の回転とともにシート部材２１の面に転写（塗布）する所謂ダイレクトロールコーターによって構成されている。
図５は、コーティングロール３０によるシート部材２１に対する塗工液１２ａの塗布のイメージを示す図である。
コーティングロール３０の外周面のうちのシート部材２１に接触する部分の全域には、複数の微細な溝（グラビアパターン）が形成され、その溝内に保持された塗工液１２ａがシート部材２１の面上に塗布されるようになっている。
【００２８】
塗布装置３は、図１においては模式的に示されているが、液漕３１内の塗工液１２ａの液面に接するようにコーティングロール３０が回転可能に設けられ、コーティングロール３０の転写面（外周面）に、シート搬送ラインＬ１上を流れるシート部材２１が連続的に接触するようになっている。なお、図１中の符号３０ａは、コーティングロール３０の回転軸であり、３２は、コーティングロール３０の外面に付着した余剰の塗工液１２ａを掻き落とすためのブレード、３３は、塗工液１２ａを貯留するためのタンク、３４は、タンク３３内の塗工液１２ａを液漕３１に供給するためのポンプである。
【００２９】
一方、図２に示す剥離ラインブロック１Ｂは、塗工ラインブロック１Ａで塗工された塗工シート２０が連続的に巻回された繰り出しロール４０と、繰り出しロール４０から引き出された塗工シート２０の塗工面から塗工膜２２の一部を長手方向に沿って帯状に剥離する剥離装置４１と、剥離装置４１で塗工膜２２の剥離を完了した塗工シート（以下、「剥離済み塗工シート４２」と呼ぶ。）をロール状に連続的に巻き取る巻取りロール４３と、を備えている。
【００３０】
図６は、剥離済み塗工シート４２を示す図である。
この実施形態においては、剥離装置４１は、例えば、図６に示すように表面全域に塗工膜２２を設けた塗工シート２０に対し、塗工膜２２の剥離を所定幅の帯状に行う。図６に示す例は、塗工膜２２の剥離を同時に３列行うようにしたものである。
【００３１】
図７は、剥離装置４１の詳細を示す図である。
同図に示すように、剥離装置４１は、設置台４４上に突設された支持壁４５に、塗工シート２０を搬送するための第１送りローラ４６が設置されるとともに、その第１送りローラ４６の前後に第２送りローラ４７と第３送りローラ４８が設置されている。ここで、第１送りローラ４６に対する前後とは、塗工シート２０の送り方向についての前後を意味するものとする。
【００３２】
第２送りローラ４７は、繰り出しロール４０（図２参照）から引き出された塗工シート２０を、向きを変えて当該第２送りローラ４７の斜め下方の第１送りローラ４６方向に送り出す。第３送りローラ４８は、第１送りローラ４６の斜め上方に配置され、当該第１送りローラ４６から送り出された塗工シート２０を、向きを変えて巻取りロール４３（図２参照）方向に送り出す。なお、第１，第２，第３送りローラ４６，４７，４８は、これらの少なくとも一つに図示しない回転駆動装置が接続されている。この実施形態においては、第１，第２，第３送りローラ４６，４７，４８が塗工シート２０を長手方向に沿って連続的に搬送するシート搬送装置を構成している。
【００３３】
剥離装置４１は、第１，第２，第３送りローラ４６，４７，４８によって連続的に送られてくる塗工シート２０の表面の幅方向の一部に接触する接触ベルト４９と、接触ベルト４９の表面に塗工膜２２の溶解液５８を付着させる溶解液供給装置５０と、を備えている。この実施形態の場合、塗工シート２０上に図６に示すように３列の非塗工部２５ｂを設けるため、接触ベルト４９は同構造のものが並列に３列並べて設けられている。
【００３４】
各接触ベルト４９は、駆動プーリ５１と従動プーリ５２とに掛け渡される無端ベルトによって構成され、駆動プーリ５１の動力を受けて略長円軌道上を連続的に移動するようになっている。駆動プーリ５１は、設置台４４上に変位可能に支持された可動ブロック５３の下端側に設置され、従動プーリ５２は可動ブロック５３の上端側に設置されている。従動プーリ５２は、第１送りローラ４６の下端に近接した位置に配置され、接触ベルト４９が従動プーリ５２の近傍において塗工シート２０の表面（図中下面）に接触するようになっている。
この実施形態の場合、接触ベルト４９は、第１，第２，第３送りローラ４６，４７，４８による塗工シート２０の送り方向に沿うように駆動プーリ５１によって駆動される。ただし、第１，第２，第３送りローラ４６，４７，４８による塗工シート２０の送り速度と、駆動プーリ５１による接触ベルト４９の移動速度は異なっており、接触ベルト４９上の接触部４９ａが塗工シート２０に対して所定速度で相対移動するようになっている。
【００３５】
設置台４４上には、ベースブロック５５が平行リンク５４，５４を介して揺動可能に取り付けられている。可動ブロック５３は、このベースブロック５５に下端部が固定されるとともに、上下方向の略中間部にエアシリンダ装置５６が接続されている。エアシリンダ装置５６は、下端が設置台４４上に揺動可能に枢支され、上端部が可動ブロック５３の側面に回動可能に連結されている。このエアシリンダ装置５６は、内部のエア圧力を制御することによって可動ブロック５３に付与する付勢力を調整し、それによって塗工シート２０に対する接触ベルト４９の接触圧を調整する。
なお、駆動プーリ５１を駆動する図示しない駆動モータと、その駆動モータの回転を減速する図示しない減速機構はベースブロック５５上に設置されている。
【００３６】
また、ベースブロック５５には、塗工膜２２（アルミナ）の溶解液である水系溶媒（以下、「溶解液５８」と呼ぶ。）を貯留する液漕５７が一体に設けられている。この液漕５７の上部には、接触ベルト４９の表面を溶解液５８内に浸漬するために、駆動プーリ５１の下縁と、その駆動プーリ５１に係合されている接触ベルト４９の浸入を許容する開口５９が設けられている。なお、この実施形態においては、液漕５７が溶解液供給装置５０の主要部を構成している。
【００３７】
さらに、この剥離装置４１は、各接触ベルト４９に付着した余剰の溶解液５８を、接触ベルト４９が塗工シート２０に接触する直前に吸引除去する第１の吸引装置６０と、剥離済み塗工シート４２（塗工シート２０）上に付着している余剰の溶解液５８を、第３送りローラ４８の近傍において吸引除去する第２の吸引装置６１と、を備えている。
第１の吸引装置６０は、先端部が接触ベルト４９の外面に近接状態で臨む吸引ノズル６０ａを備えており、同様に、第２の吸引装置６１は、先端部が剥離済み塗工シート４２上の非塗工部２５ｂの下面（表面）に近接状態で臨む吸引ノズル６１ａを備えている。
【００３８】
図８は、駆動プーリ５１と接触ベルト４９の係合状態を示す図であり、図９は、駆動プーリ５１の単体を示す図である。
これらの図に示すように、駆動プーリ５１は、一対のフランジ部６２，６２の間に所定幅Ｗ３の係合溝６３が設けられ、その係合溝６３の底部に接触ベルト４９の裏面が接触するようになっている。係合溝６３の底部には、軸方向に延出する噛み合い溝６４が円周方向に沿って複数設けられ、接触ベルト４９の裏面には、駆動プーリ５１の噛み合い溝６４に噛合する複数の突起６５が長手方向に沿って設けられている。
【００３９】
接触ベルト４９の幅Ｗ１は、駆動プーリ５１の係合溝６３の幅Ｗ３と同幅に設定されている。したがって、接触ベルト４９が駆動プーリ５１の係合溝６３に係合されると、係合溝６３の底部は接触ベルト４９によって完全に覆われる。
また、接触ベルト４９の外面には、接触ベルト４９の全幅Ｗ１よりも幅Ｗ２の狭い突条６６が長手方向に沿って形成されている。この突条６６は、塗工シート２０の表面に接触する部分であり、その幅Ｗ２は、塗工シート２０上に形成する非塗工部２５ｂの幅と同幅に設定されている。
なお、接触ベルト４９の具体的な材質としては、例えば、ポリウレタンや、ＰＥＴ（Polyethylene terephthalate）の帆布の上にスポンジゴムを貼りつけたもの等を用いることができる。
また、ここでは詳細な説明は省略するが、従動プーリ５２も駆動プーリ５１とほぼ同様の構造とされている。
【００４０】
つづいて、以上で説明した二次電池用セパレータの製造装置１の作動について説明する。
図１に示す塗工ラインブロック１Ａにおいては、繰り出しロール２から連続的に引き出されるシート部材２１の一面に対し、塗布装置３のコーティングロール３０によって耐熱性の塗工液１２ａが塗布される。このとき、塗工液１２ａはシート部材２１の一面の全域に均一に塗布される。
この後、シート部材２１は乾燥装置４に搬送され、乾燥装置４において、塗工液１２ａの乾燥が行われる。そして、こうして塗工膜２２が形成された塗工シート２０は巻取りロール６に巻き取られる。
巻取りロール６に巻き取られた塗工シート２０は次の剥離ラインブロック１Ｂに搬送される。
【００４１】
図２に示す剥離ラインブロック１Ｂにおいては、繰り出しロール４０から連続的に引き出される塗工シート２０に対し、剥離装置４１によって塗工膜２２の帯状の剥離が行われる。
このとき、剥離装置４１においては、図７に示すように接触ベルト４９が塗工シート２０の塗工面に接触しつつ駆動プーリ５１の動力によって連続的に周回移動する。そして、接触ベルト４９は、下方の駆動プーリ５１部分において液漕５７内の溶解液５８に浸漬し、それによって外面に溶解液５８が付着することになる。液漕５７で接触ベルト４９の外面に付着した溶解液５８は、従動プーリ５２との頂部の直前部分において、余剰分が第１の吸引装置６０によって吸引除去される。接触ベルト４９上の塗工シート２０との接触部４９ａにおいては、接触ベルト４９と塗工シート２０の移動速度の差により、溶解液５８が付着した接触ベルト４９が塗工シート２０の塗工面に擦り付けられる。これにより、塗工シート２０上の塗工膜２２は溶解液５８によって溶解されつつ、接触ベルト４９によって掻き落とされる。この結果、塗工シート２０の塗工膜２２は対応する接触ベルト４９によって帯状に剥離される。
また、接触ベルト４９によって塗工膜２２を帯状に剥離された直後の剥離済み塗工シート４２は、剥離によってできた非塗工部２５ｂの周辺部に溶解液５８が水滴となって付着しているが、この溶解液５８の水滴は、第３送りローラ４８の近傍において第２の吸引装置６１によって吸引除去される。第３送りローラ４８を通過した剥離済み塗工シート４２は、表面に水分の無い状態において、巻取りロール４３（図２参照）に巻き取られる。
【００４２】
以上のように、この製造装置１で採用する剥離装置４１においては、第１，第２，第３送りローラ４６，４７，４８によって連続的に搬送されてくる塗工シート２０上の塗工面に対し、外面に溶解液５８を付着させた接触ベルト４９を接触させつつ、接触ベルト４９上の接触部４９ａを塗工シート２０に対して相対移動させるため、塗工シート２０上の塗工膜２２を帯状に容易にかつ確実に剥離することができる。
したがって、この剥離装置４１においては、マスキングテープを用いる場合に比較して、煩雑なマスキングテープの剥離作業が不要となるため、塗工シート２０上に所望の非塗工部２５ｂを効率良く形成することができる。よって、この剥離装置４１を採用することにより、セパレータ２５の生産効率を高めることができる。
【００４３】
また、この剥離装置４１は、一面の全域に塗工膜２２を形成した塗工シート２０に対し、溶解液５８を付着させた接触ベルト４９を摺接させるものであるため、塗工シート２０上の塗工膜２２の剥離幅や剥離位置を変更する場合には、接触ベルト４９上の接触部４９ａの幅や位置を変更するだけで容易に設計変更に対応することができる。したがって、グラビアロールによってシート部材上に塗工部と非塗工部を形成する場合に比較して、設備コストの高騰を抑制することができる。
【００４４】
さらに、この剥離装置４１は、全域に塗工膜２２を形成した塗工シート２０に対し、溶解液５８によって塗工膜２２を溶解しつつ接触ベルト４９によって擦り落とすものであるため、非塗工部にマスキングテープを貼って塗工液を塗布する場合と異なり、非塗工部２５ｂとの境界部の塗工膜２２が部分的に厚くなる不具合を招くことがない。したがって、塗工シート２０上の塗工部２５ａと非塗工部２５ｂの境界部に反り（所謂、「耳立ち」）が生じるを防止することができる。
【００４５】
また、この剥離装置４１においては、接触ベルト４９に付着した余剰分の溶解液５８を、接触ベルト４９から吸引除去する第１の吸引装置６０が設けられているため、接触ベルト４９が塗工シート２０の塗工面に圧接される際に、多量の溶解液５８が塗工シート２０に付着したり、周囲に滴下したりするのを防止することができる。
【００４６】
さらに、この剥離装置４１においては、接触ベルト４９による塗工膜２２の剥離後に塗工シート２０に付着している溶解液５８の水滴を吸引除去する第２の吸引装置６１が設けられているため、塗工膜２２の剥離後に塗工シート２０に付着している溶解液５８の水滴が、塗工シート２０上の塗工部２５ａ側に流れたり、水分が残存したまま塗工シート２０が巻取りロール６に巻かれる不具合を無くすことができる。
【００４７】
また、この実施形態の剥離装置４１では、接触ベルト４９の駆動プーリ５１と係合する部分の幅Ｗ１が駆動プーリ５１の係合溝６３の溝幅Ｗ３と同幅に設定され、駆動プーリ５１の係合溝６３の底部が接触ベルト４９によって完全に覆われるようになっているため、接触ベルト４９が液漕５７内の溶解液５８に浸漬される際に、溶解液５８が駆動プーリ５１の係合溝６３の底部の噛み合い溝６４等に入り込むのを防止することができる。したがって、駆動プーリ５１の回転に伴って係合溝６３の底部に入り込んだ溶解液５８が周囲に飛散するのを未然に防止することができる。
【００４８】
また、この実施形態の剥離装置４１では、接触ベルト４９の外面側に、接触ベルト４９の全幅Ｗ１よりも幅Ｗ２の狭い突条６６が設けられ、その突条６６の先端部が塗工シート２０の表面に接触するようになっているため、接触ベルト４９を突条６６部分で塗工シート２０に安定的に接触させることができる。
【００４９】
なお、上記実施形態における構成は本発明の一例であり、もちろん、部品構成や構造、形状、大きさ、数及び配置等を含め、当該発明の要旨を逸脱しない範囲で種々の変更が可能である。
例えば、上記の実施形態においては、シート部材の片側面のみに塗工膜を形成したが、シート部材の表裏両側に塗工膜を形成し、上記と同様に剥離装置によって表裏の塗工膜の一部を片面ずつ剥離するようにしても良い。
【符号の説明】
【００５０】
１  二次電池用セパレータの製造装置
３  塗布装置（塗工装置）
４  乾燥装置（塗工装置）
２０  塗工シート
２１  シート部材
２２  塗工膜
２５  セパレータ
４１  剥離装置
４６  第１送りローラ（シート搬送装置）
４７  第２送りローラ（シート搬送装置）
４８  第３送りローラ（シート搬送装置）
４９  接触ベルト
４９ａ  接触部
５０  溶解液供給装置
５１  駆動プーリ（プーリ）
６０  第１の吸引装置
６１  第２の吸引装置
６３  係合溝
６６  突条
【図１】
2013257987.tif 000003
【図２】
2013257987.tif 000004
【図３】
2013257987.tif 000005
【図４】
2013257987.tif 000006
【図５】
2013257987.tif 000007
【図６】
2013257987.tif 000008
【図７】
2013257987.tif 000009
【図８】
2013257987.tif 000010
【図９】
2013257987.tif 000011